(57)【要約】【課題】格納時や運搬時にコンパクトな形態にすることができるフロート付きのストレーナ装置を提供する。【解決手段】送水ポンプの吸水口に水を供給する給吸水管の取水側の端部に接続される吸水管接続部１０２と異物の通過を阻止する手段を有する取水部１０１とを備えて取水を行う際に取水部１０１が水中に配置されるストレーナ１と、ストレーナに取り付けられてストレーナを水面に浮かせるために必要な浮力を生じさせるフロート２とを備える。フロート２は、膨張収縮が可能な袋状部材２００からなっていて、該袋状部材の内部への気体の充填と該袋状部材からの排気とを可能にする充排気口２０１を備えている。フロート２は、袋状部材２００の内部に気体が充填されて該袋状部材が膨張した状態にあるときに、ストレーナ１を水面に浮かせるために必要な浮力を生じさせる。【選択図】    図１
0003217586.tif 000002
【実用新案登録請求の範囲】
【請求項１】
ポンプに水を供給する吸水管の取水側の端部に接続される吸水管接続部と前記ポンプにとって有害な異物の通過を阻止する大きさを有する取水孔が設けられた取水部とを備えて取水を行う際に前記取水部が水中に配置されるストレーナと、前記ストレーナに取り付けられて前記ストレーナを水源の水に浮かせるために必要な浮力を生じさせるフロートとを備えたストレーナ装置において、
前記フロートは、膨張収縮が可能な袋状部材からなり、
前記袋状部材は、その内部への気体の充填とその内部の気体の排出とを可能にする充排気口を備え、
前記袋状部材の内部に気体が充填されて該袋状部材が膨張した状態にあるときに、前記ストレーナを水に浮かせるために必要な浮力が生じるように構成されていることを特徴とするストレーナ装置。
【請求項２】
前記ストレーナは天板部と底板部と側板部とを有する中空の本体部分を有していて、該本体部分の底板部に前記取水部が設けられ、前記吸水管接続部は前記本体部分の側板部又は天板部に設けられている請求項１に記載のストレーナ装置。
【請求項３】
前記ストレーナは天板部と底板部と側板部とを有する中空の本体部分を有していて、該本体部分の側板部に前記取水部が設けられ、前記吸水管接続部は前記本体部分の天板部に設けられている請求項１に記載のストレーナ装置。
【請求項４】
前記フロートは、前記ストレーナに着脱可能な状態で取り付けられることを特徴とする請求項１，２又は３に記載のストレーナ装置。
【請求項５】
前記フロート及びストレーナにそれぞれ分離可能な状態で機械的に結合し合う第１の結合部及び第２の結合部が設けられ、該第１の結合部と第２の結合部とが結合した状態で前記フロートがストレーナに取り付けられることを特徴とする請求項４に記載のストレーナ装置。
【請求項６】
前記第１の結合部及び第２の結合部は面ファスナーにより構成されている請求項５に記載のストレーナ装置。
【請求項７】
前記第１の結合部及び第２の結合部の一方はフックからなり、前記第１の結合部及び第２の結合部の他方は、前記フックを引っ掛けることができる部分を有する部材からなっている請求項５に記載のストレーナ装置。
【請求項８】
前記フロートは複数のフロート構成体に分割されていて、該複数のフロート構成体が前記ストレーナの異なる部分に取り付けられる請求項１ないし７のいずれか一つに記載のストレーナ装置。
【考案の詳細な説明】
【技術分野】
【０００１】
本考案は、消防ポンプ等の送水ポンプの吸入口に水を供給する吸水管内に水を取り入れるために該吸水管の取水側の端部に取り付けられるストレーナ装置に関するものである。
【背景技術】
【０００２】
消防ポンプや排水ポンプ等の送水ポンプにより、池や河川などの水源の水を送水する場合には、ポンプにごみや砂利などの異物が供給されてポンプが故障するのを防ぐために、ポンプの吸入口に水を供給する吸水管の取水側の端部に異物の通過を阻止する手段を備えたストレーナを取り付ける必要がある。
【０００３】
ストレーナは、例えば特許文献１に示されているように、中空に形成された本体部分を有していて、該本体部分の下部に異物の通過を阻止する大きさの取水孔が多数設けられたフィルタ手段を有する取水部を備え、該本体部分の上部に吸水管の取水側の端部に接続される吸水管接続部を備えている。
【０００４】
取水部に設けるフィルタ手段は、金網や、多数の孔が穿設された金属板などにより構成されるが、細かい異物の通過をも阻止するようにフィルタ手段が構成されていると、取水能力の低下を招くことになるのを避けられない。そのため、ストレーナに設けるフィルタ手段は、細かい異物の通過は許容するように構成せざるを得ない。
【０００５】
この種のストレーナを用いて取水を行う際に、ストレーナが水底に着座した状態になると、取水部が水底に近接した状態で配置されることになるため、水底の汚泥などのように粒子が細かい異物がストレーナ内に吸い込まれ、この異物がポンプに達してポンプが故障するおそれがある。
【０００６】
そこで、特許文献１に示されているように、ストレーナを水に浮かせるための浮力を生じさせるフロートをストレーナに取り付けて、少なくとも水深が十分にある間は、ストレーナを水に浮かせた状態に保持して、ストレーナの取水部を水底から十分離れた位置に位置させることにより、ストレーナ内に汚泥などが吸い込まれるのを防ぐようにしたストレーナ装置が提案されている。特許文献１に示されたストレーナ装置においては、発泡スチロールなどの比重が小さい材料により形成されたリング状の部材によりフロートが構成されている。またこの種のストレーナ装置として、硬質の合成樹脂により形成された中空部材によりフロートを形成したものも知られている。
【先行技術文献】
【特許文献】
【０００７】
【特許文献１】特開平９−２５６３４７号公報
【考案の概要】
【考案が解決しようとする課題】
【０００８】
ストレーナとフロートとにより構成されるストレーナ装置においては、ストレーナを水に浮かせるために必要な浮力を生じさせるためにフロートをある程度大形に形成せざるを得ないため、フロートの部分が相当に大きなスペースを占めることになるが、従来のこの種の装置では、発泡スチロールや、硬質の合成樹脂などの変形が不能な材料によりフロートが形成されていたため、不使用時にも装置全体が大形の形態を保持することになるのを避けられなかった。そのため、ストレーナ装置を不使用時に格納する際に大きなスペースを専有するだけでなく、ストレーナ装置を設置現場に運搬する際に装置が嵩張ってその運搬が容易でない等の問題があった。
【０００９】
本考案の目的は、不使用時にフロートの部分を縮小することができるようにして、装置を格納する際や運搬する際に装置全体をコンパクトな形態にすることができるようにしたストレーナ装置を提供することにある。
【課題を解決するための手段】
【００１０】
本考案は、ポンプに水を供給する吸水管の取水側の端部に接続される吸水管接続部と異物の通過を阻止する大きさを有する取水孔が設けられた取水部とを備えて取水を行う際に前記取水部が水中に配置されるストレーナと、このストレーナに取り付けられてストレーナを水源の水に浮かせるために必要な浮力を生じさせるフロートとを備えたストレーナ装置を対象とする。本明細書には、前述の目的を達成するために、少なくとも以下に示す第１ないし第８の考案が開示される。
【００１１】
＜第１の考案＞
本考案においては、膨張収縮が可能な袋状部材によりフロートが構成されていて、該袋状部材には、その内部への気体の充填とその内部からの気体の排出とを可能にする充排気口が設けられ、袋状部材の内部に気体が充填されて該袋状部材が膨張した状態にあるときに、ストレーナを水に浮かせるために必要な浮力が生じるように構成されている。
【００１２】
上記のように構成すると、取水を行う際には、フロートを膨張させた状態にすることによりストレーナを水に浮かせて、ストレーナの取水部を水底から離れた状態に保持することができるため、ストレーナの取水部から汚泥などが吸い込まれるのを防ぐことができる。また不使用時には、フロート内の気体を抜くことによりフロートを縮小させることができるため、装置全体をコンパクトな形態にして、装置の格納に要するスペースの節約を図ったり、装置の運搬を容易にしたりすることができる。
【００１３】
＜第２の考案＞
本考案は、第１の考案に適用されるもので、本考案においては、ストレーナが、天板部と底板部と側板部とを有する中空の本体部分を有していて、該本体部分の底板部に取水部が設けられ、吸水管接続部は本体部分の側板部又は天板部に設けられる。
【００１４】
ストレーナの本体部分は、天板部と底板部と側板部とを有していれば良く、その外形は、直方体状、円筒状などの任意の形状とすることができる。
【００１５】
＜第３の考案＞
本考案も第１の考案に適用されるもので、ストレーナが、天板部と底板部と側板部とを有する中空の本体部分を有しているが、本考案においては、本体部分の側板部に取水部が設けられ、吸水管接続部が本体部分の天板部に設けられる。
【００１６】
＜第４の考案＞
本考案は、第１、第２又は第３の考案に適用されるもので、本考案においては、フロートが、ストレーナに着脱可能な状態で取り付けられる。
【００１７】
フロートをストレーナに着脱可能な状態で取り付けるように構成しておくと、必要に応じてフロートをストレーナから外して、ストレーナとフロートとを別々に運搬したり、ストレーナ装置を保管する際にストレーナとフロートとを別々に格納したりすることができるため、ストレーナ装置の取り扱いに多様性を持たせることができるだけでなく、フロートが破損したときにその交換を容易にすることができる。
【００１８】
またフロートをストレーナに着脱可能な状態で取り付けるように構成しておくと、取水の現場に向かう前にフロートをストレーナから外して、現場に到着するまでの間にフロートを膨らませる作業を済ませておくことができるため、送水ポンプが消防ポンプである場合のように作業に緊急性を要する場合に、現場に到着した後ストレーナ装置を水源に投入する作業を迅速に行わせることができる。
【００１９】
＜第５の考案＞
本考案は、第４の考案に適用されるもので、本考案においては、フロート及びストレーナにそれぞれ分離可能な状態で機械的に結合し合う第１の結合部及び第２の結合部が設けられ、該第１の結合部と第２の結合部とが結合した状態でフロートがストレーナ本体に取り付けられる。
【００２０】
＜第６の考案＞
本考案は、第５の考案に適用されるもので、本考案においては、第１の結合部及び第２の結合部が面ファスナーにより構成される。
【００２１】
このように、第１の結合部及び第２の結合部を面ファスナーにより構成しておくと、フロートの着脱を容易にすることができる。
【００２２】
＜第７の考案＞
本考案は、第５の考案に適用されるもので、本考案においては、第１の結合部及び第２の結合部の一方がフックからなり、第１の結合部及び第２の結合部の他方は、前記フックを引っ掛けることができる部分を有する部材からなっている。この場合、フックを引っ掛けることができる部分を有する部材としては、孔や切り欠きを有する部材や、ループ又は他のフック等を用いることができる。
【００２３】
このように第１の結合部及び第２の結合部を構成しておくと、第１の結合部及び第２の結合部の一方を他方に引っ掛けるだけでフロートをストレーナに取り付けることができるため、フロートの着脱を容易にすることができる。
【００２４】
＜第８の考案＞
本考案は第１ないし第７の考案のいずれかに適用される。本考案においては、フロートが複数のフロート構成体に分割されていて、該複数のフロート構成体がストレーナの異なる部分に取り付けられる。
【考案の効果】
【００２５】
本考案によれば、取水を行う際にはフロートを膨張させた状態にすることによりストレーナを水に浮かせて、ストレーナの取水部を水底から離れた状態に保持することができるため、ストレーナの取水部から汚泥などが吸い込まれるのを防ぐことができる。また不使用時には、フロート内の気体を抜くことによりフロートを縮小することができるため、装置全体をコンパクトな形態にして、装置の格納に要するスペースの節約を図ったり、装置の運搬を容易にしたりすることができる。
【００２６】
また、フロートをストレーナに着脱可能な状態で取り付けるように構成した場合には、必要に応じてフロートをストレーナから外して、ストレーナとフロートとを別々に運搬したり、ストレーナ装置を保管する際にストレーナとフロートとを別々に格納したりすることができるため、ストレーナ装置の取り扱いに多様性を持たせることができる。
【図面の簡単な説明】
【００２７】
【図１】図１は本考案に係るストレーナ装置の一実施形態において、フロートを縮小させた状態にしたときの装置の外観を示したもので、同図（Ａ）ないし（Ｄ）はそれぞれ上面図、正面図、底面図及び右側面図である。
【図２】図１は本考案に係るストレーナ装置の一実施形態において、フロートを膨張させた状態にしたときの装置の外観を示したもので、同図（Ａ）ないし（Ｄ）はそれぞれ上面図、正面図、底面図及び右側面図である。
【図３】図３は、図２（Ｄ）をIII−III線に沿って断面して示した断面図である。
【図４】図４は、本考案に係るストレーナ装置の他の実施形態の構成を示した底面図である。
【図５】図５は、本考案に係るストレーナ装置の使用時の状態の一例を示した側面図である。
【考案を実施するための形態】
【００２８】
以下本考案に係るストレーナ装置の実施形態について説明する。
図１ないし図３は、本考案の第１の実施形態を示したもので、図１は本実施形態に係るストレーナ装置のフロートを縮小した状態での外観を示し、図２は同ストレーナ装置のフロートを膨張させた状態での外観を示している。図１及び図２において（Ａ）ないし（Ｄ）はそれぞれ上面図、正面図、底面図及び右側面図を示している。また図３は図２（Ｄ）のIII−III線断面図である。
【００２９】
図１ないし図３において１はストレーナ、２はストレーナ１を水源の水面に浮かせるための浮力を生じさせるフロートであり、ストレーナ１とフロート２とによりストレーナ装置３が構成されている。ストレーナ１は、天板部１００ａ及び底板部１００ｂと、前後の側板部１００ｃ、１００ｄと、左右の側板部１００ｅ，１００ｆとを有する箱形に形成された中空の本体部分１００を有していて、本体部分１００の底板部１００ｂに取水部１０１が設けられ、前側の側板部１００ｃに吸水管接続部１０２が設けられている。
【００３０】
取水部１０１は、本体部分１００の底板部１００ｂに形成された長方形状の開口部１００３（図３参照）と、この開口部を塞ぐ大きさを有する長方形のフィルタ板１０４とからなっている。フィルタ板１０４は、水は通過させるが、送水ポンプの動作に支障を来す（送水ポンプに供給されることが好ましくない）大きさの異物（木の葉やゴミなど）の通過は阻止するように大きさ及び形状が設定された取水孔ｈを長方形の金属板に多数形成したものからなっていて、本体部分１００の底板部１００ｂに形成された長方形の開口部１０３を塞ぐように配置されて、ネジ１０５により本体部分の底板部１００ｂに締結されている。
【００３１】
吸水管接続部１０２は、ストレーナ１の本体部分の前側の側板部１００ｃを貫通させて設けられた孔１１０（図３参照）と、この孔の開口部の周囲に形成されたフランジ１１１に結合されたフランジ１１２ａを一端に有する短管１１２と、この短管１１２の他端に回転自在に支持された環状の吸水管接続具１１３と、吸水管接続具１１３の外周部に固定された操作アーム１１４とを備えた公知のものである。吸水管接続具１１３の内周には雌ネジ部が形成されていて、送水ポンプに給水を行う吸水管の取水側の端部に取り付けられた継手金具に設けられた雄ネジ部が吸水管接続具１１３の内周の雌ネジ部に螺合されることにより、吸水管接続部１０２に吸水管の取水側の端部が接続される。
【００３２】
フロート２は、ストレーナ装置３を水源の水に浮かせるために必要な浮力を生じさせるためにストレーナ１に取り付けられるものである。本実施形態で用いているフロート２は、膨張収縮が可能な袋状部材２００からなっていて、フロート２を構成する袋状部材２００には、その内部への気体の充填と該袋状部材からの排気とを可能にする充排気口２０１が設けられている。袋状部材２００は伸縮性が良好なゴム材料により構成するのが好ましいが、柔軟性を有するプラスチックフィルムなどからなっていてもよい。
【００３３】
充排気口２０１には、自転車や自動車等の乗り物の車輪を構成するタイヤの充排気口に設けられるバルブと同様のバルブが設けられていて、充排気口２０１に図示しないエアポンプの気体流出口を接続して該エアポンプを動作させた際に充排気口２０１に設けられたバルブが開いて袋状部材２００の内部への気体の充填を許容し、エアポンプの気体流出口を充排気口２０１から外した際に充排気口２０１のバルブが自動的に閉じて袋状部材２００からの気体の流出を阻止するようになっている。
【００３４】
なおフロート２を構成する袋状部材２００に設ける充排気口２０１は、必ずしもバルブを備えたものでなくてもよく、袋状部材２００内に空気等の気体を充填した後に着脱が可能な栓やキャップなどにより閉じられるものであってもよい。
【００３５】
図示のフロート２を構成する袋状部材２００は、ストレーナ１の吸水管接続部１０２が設けられた側板部１００ｃを除く３つの側板部１００ｄ，１００ｅ及び１００ｆにそれぞれ対面する３つの内側面２００ｄ，２００ｅ及び２００ｆを有するＵ字形の形状を呈するように形成されていて、適宜の手段によりストレーナ１に取り付けられている。
【００３６】
フロート２のストレーナ１への取り付けは、例えば、ストレーナ１の側板部１００ｄ、１００ｅ及び１００ｆにそれぞれ対面する袋状部材２００の３つの内側面２００ｄ，２００ｅ及び２００ｆを、対面するストレーナ１の側板部１００ｄ、１００ｅ及び１００ｆに接着することにより行うことができる。
【００３７】
またフロート２は、ストレーナ１に着脱可能な状態で取り付けることもできる。フロート２をストレーナ１に着脱可能な状態で取り付けるように構成しておくと、必要に応じてフロート２をストレーナ１から外して、ストレーナ１とフロート２とを別々に運搬したり、ストレーナ装置３を保管する際にストレーナ１とフロート２とを別々に格納したりすることができるため、ストレーナ装置の取り扱いに多様性を持たせることができる。またフロート２をストレーナ１に着脱可能な状態で取り付けるように構成しておくと、フロート２が破損したときにその交換を容易にすることができる。
【００３８】
更にフロート２をストレーナ１に着脱可能な状態で取り付けるように構成しておくと、フロート２をストレーナ１から外した状態で膨らませることができるため、フロート２を膨らませる作業を容易にすることができる。またフロート２をストレーナ１に着脱可能な状態で取り付けるように構成しておくと、取水の現場に向かう際にフロート２をストレーナ１から外して、現場に到着するまでの間にフロート２を膨らませることができるため、送水ポンプが消防ポンプである場合のように作業に緊急性を要する場合に、現場に到着した後ストレーナ装置３を水源に投入する作業を迅速に行わせることができる。
【００３９】
フロート２をストレーナ１に着脱可能な状態で取り付けるには、例えば、分離可能な状態で機械的に結合し合う第１の結合部及び第２の結合部をフロート２及びストレーナ１にそれぞれ取り付けておいて、第１の結合部と第２の結合部とを結合することによりフロートをストレーナ本体に取り付け、第１の結合部と第２の結合部とを切り離すことにより、フロートをストレーナから取り外すようにすればよい。
【００４０】
上記第１の結合部は、例えば、ストレーナ１の本体部分１００の側板部１００ｄ、１００ｅ及び１００ｆにそれぞれ対面する袋状部材２００の３つの内側面２００ｄ、２００ｅ及び２００ｆにそれぞれ固定された面ファスナーにより構成することができ、第２の結合部は、ストレーナ１の側板部１００ｄ、１００ｅ及び１００ｆに固定された面ファスナーにより構成することができる。
【００４１】
またフロート２に取り付けておく第１の結合部及びストレーナ１に取り付けておく第２の結合部のうちの一方をフックにより構成し、第１の結合部及び第２の結合部のうちの他方を、フックを引っ掛けることができる部分を有する部材により構成するようにしても良い。この場合、フックを引っ掛けることができる部分を有する部材としては、孔や切り欠きを有する部材や、ループ又は他のフック等により構成することができる。
【００４２】
第１の結合部及び第２の結合部のうちの一方をフックにより構成し、他方を、フックを引っ掛けることができる部材により構成する場合、フロート２をストレーナ１にバランスよく取り付けることができるようにするために、対をなす第１及び第２の結合部を複数対設けて、該複数対の結合部をストレーナ１の周囲にほぼ均等に分散させて配置しておくようにするのが好ましい。
【００４３】
図４を参照すると、フロート２をストレーナ１に取り付ける結合部にフックを用いた例が示されている。図４に示した例では、フロート２に取り付ける第１の結合部を、袋状部材２００の下部のストレーナ１寄りの部分に適宜の手段により取り付けたフック７により構成し、このフック７を引っ掛ける第２の結合部を、ストレーナ１の本外部分の側板部の下部（底板部１００ｂ寄りの部分）に取り付けた矩形状のフック係止板８により構成している。フック係止板８は、フックを引っ掛けることができる孔８ａを有していて、各フック７を対応するフック係止板８の孔８ａに引っ掛けることにより、フロート２をストレーナ１に取り付けるようになっている。
【００４４】
図示の例では、ストレーナ１の本体部分１００の側板部１００ｅ及び１００ｆのそれぞれに２個のフック係止板８が間隔をあけて取り付けられ、側板部１００ｄの中央に１個のフック係止板８が取り付けられている。またフロート２を構成する袋状部材２００には、各フック係止板８に対応させてフック７が取り付けられている。本実施形態のように、フロート２とストレーナ１とを結合する結合部としてフックを用いる場合、各結合部はストレーナ１の下部寄りの位置（取水部１０１寄りの位置）に設けることが好ましい。
【００４５】
上記のように、フロート２側に設ける第１の結合部及びストレーナ１側に設ける第２の結合部の一方をフックにより構成し、フックを引っ掛けることができる部分を有する部材により第１の結合部及び第２の結合部の他方を構成しておくと、第１の結合部及び第２の結合部の一方を他方に引っ掛けるだけでフロートをストレーナに取り付けることができるため、フロートの着脱を容易にすることができる。
【００４６】
上記の例では、フック７を引っ掛ける部分を有する部材としてフック係止板８を用いたが、フック係止板８に代えて、他のフックやループなどを用いることもできる。
【００４７】
上記第１の結合部及び第２の結合部は、分離可能な状態で機械的に結合し合うものであればよく、上記の実施形態で用いたものに限定されるものではない。例えば、ストレーナ１及びフロート２にそれぞれ対をなして互いに重なり合う柔軟な舌片状の突出片を複数対設けるとともに、各対をなす突出片を相互に結合するスナップ式のボタンや掛けボタン等の留め具を設けて、これら突出片及び留め具によりそれぞれ第１の結合部及び第２の結合部を構成することもできる。
【００４８】
図５を参照すると、本実施形態に係るストレーナ装置３を用いて取水を行う際の状態が示されている。図５において、４は図示しない送水ポンプに水を供給する吸水管であり、その取水側の端部にストレーナ装置３の吸水管接続部１０２が接続されている。ストレーナ装置３のフロート２を構成する袋状部材２００は、ストレーナ装置３を水源に投入する前に、その内部に気体を充填することにより、ストレーナ装置を水面に浮かせるために必要な浮力を生じさせる大きさまで膨張させられている。ストレーナ装置３は、その取水部１０１を水中に位置させた状態で、水源の水面５に浮かせた状態で配置される。図５において６は水源の水底を示している。
【００４９】
図５に示した例では、吸水管４の取水側の端部に、外周に雄ネジ部が形成された管状の継手金具７が取り付けられ、この継手金具７の外周の雄ネジ部がストレーナ装置３の吸水管接続具１１３の内周に設けられた雌ネジ部に螺合されることにより、吸水管４の取水側の端部にストレーナ装置３の吸水管接続部１０２が接続されている。
【００５０】
なお吸水管接続部１０２は、吸水管の取水側の端部の構造に適合するように構成されていればよく、図示の例に限定されない。例えば、吸水管４の取水側の端部に取り付ける継手金具として、内周に雌ネジ部が形成されたものを用いる場合には、ストレーナ装置３の吸水管接続部１０２に回転自在に設ける吸水管接続具１１３として、外周に雄ネジ部を有するものを用いて、この吸水管接続具の雄ネジ部を吸水管の取水側の端部に取り付けられた継手金具の内周の雌ネジ部に螺合させることにより、吸水管接続部１０２を吸水管４の取水側の端部に接続する。
【００５１】
図５に示したように、送水ポンプに吸給水する際に吸水管４の取水側の端部にストレーナ装置３を接続しておくと、水中に存在する異物（汚泥や木の葉などの固形物）のうち、送水ポンプに供給されるとポンプの動作に支障を来すおそれがある大きさを有する異物が吸水管４内に取り込まれるのを防ぐことができるため、送水ポンプによる送水を支障なく行わせることができる。
【００５２】
本実施形態のようにストレーナ装置を構成しておくと、取水を行う際にはフロート２を膨張させた状態にすることによりストレーナ１を水に浮かせて、ストレーナ１の取水部１０１を水底６から離れた状態に保持することができるため、ストレーナの取水部１０１から汚泥などが吸い込まれるのを防ぐことができる。
【００５３】
また送水ポンプによる送水を行わない際には、フロート２内の気体を抜くことによりフロート２を縮小することができるため、装置全体をコンパクトな形態にして、装置の格納に要するスペースの節約を図ったり、装置の運搬を容易にしたりすることができる。
【００５４】
上記の実施形態では、水源の水位が低下した際にストレーナ１の取水部１０１が水底に接するのを防ぐ手段が設けられていないが、水源の水位が大きく低下することが予想される場合には、例えばストレーナ１の本体部分１００の底板部１００ｂの四隅にそれぞれ下方に突出する４つの脚部を取り付けて、水位が低下したときにこれらの脚部を水底に接触させることにより、取水部１０１を水底から浮かした状態に保持することができるようにしておくことが好ましい。このように構成しておくと、水源の水位が低下したときにストレーナの取水部１０１が水底に接して汚泥を取り込むのを防ぐことができるため、送水ポンプの保護を更に確実に図ることができる。
【００５５】
上記の実施形態では、ストレーナ１の取水部１０１をストレーナの本体部分１００の底板部に設けたが、ストレーナ１の側板部に取水部１０１を設けるようにしても良い。取水部１０１をストレーナ１の側板部に設ける場合、吸水管接続部１０２は、ストレーナの本体部分の天板部１００ａに設けるのが好ましい。
【００５６】
上記の実施形態では、ストレーナ１の本体部分１００を直方体状（箱形）に形成したが、ストレーナ１の本体部分１００は、天板部と底板部と側板部とを有して、底板部又は側板部に取水部を設けることができ、側板部又は天板部に吸水管接続部を設けることができるものであればよく、必ずしも直方体状に形成されている必要はない。例えば、ストレーナの本体部分１００を、円板状の天板部及び底板部と円筒状の側板部とを有する円筒体により構成することもできる。
【００５７】
フロート１を構成する袋状部材２００を膨らませる作業は、手動式、足踏み式又は電動式の空気入れ（エアポンプ）の送気ホースの先端の口金を袋状部材２００に設けられた充排気口２０１に接続することにより行ってもよく、圧縮ガスが封入されたボンベの気体流出口を充排気口２０１に接続することにより行ってもよい。また場合によっては袋状部材２００を作業員が口で膨らませるようにすることもできる。袋状部材２００内に充填する気体としては、通常は空気を用いればよいが、炭酸ガスなどの他の気体を用いてもよい。
【００５８】
フロート２を構成する袋状部材２００は、膨らませた際にストレーナ装置３を水面に安定に浮かせることができる浮力を生じさせるのに適した形状を呈して、ストレーナ１に取り付けることができるものであればよく、その形状は特に限定されない。例えば、ストレーナ１の本体部分１００の底板部１００ｂに取水部を設け、天板部１００ａに吸水管接続部１０２を設ける場合には、袋状部材２００を、ストレーナ１の本体部分の側面を取り囲む環状の形状を呈するように構成することもできる。
【００５９】
また、袋状部材２００に多数の折り目を形成して、袋状部材２００を蛇腹状に形成しておくと、袋状部材２００内の気体を抜いた際に袋状部材２００を容易に収縮させてコンパクトな形態にすることができる。
【００６０】
上記の実施形態では、ストレーナ１を水面に浮かせるために必要な浮力を生じさせるフロートが一体物として構成されているが、フロート２を複数のフロート構成体に分割するようにしてもよい。即ち、フロート２を複数のフロート構成体により構成して、各フロート構成体をストレーナの異なる部分に取り付けるようにしてもよい。例えば、図１に示した例のようにストレーナ１の本体部分１００が直方体状に構成されている場合には、本体部分１００の側板部１００ｄに添わせた状態で取り付けられる第１のフロート構成体と、本体部分１００の側板部１００ｅに添わせた状態で取り付けられる第２のフロート構成体と、本体部分１００の側板部１００ｆに添わせた状態で取り付けられる第３のフロート構成体とによりフロート２を構成することができる。
【符号の説明】
【００６１】
１  ストレーナ
１００  ストレーナの本体部分
１００ａ  天板部
１００ｂ  底板部
１００ｃ〜１００ｆ  側板部
１０１  取水部
１０２  吸水管接続部
１０３  開口部
１０４  フィルタ板
１０５  ネジ
１１０  孔
１１１  フランジ
１１２  短管
１１２ａ  フランジ
１１３  吸水管接続具
１１４  操作アーム
２  フロート
２００  袋状部材
２０１  充排気口
３  ストレーナ装置
４  吸水管
５  水面
６  水底
７  フック
８  フック係止板
８ａ  フックを引っ掛ける孔
ｈ  取水孔
【図１】
0003217586.tif 000003
【図２】
0003217586.tif 000004
【図３】
0003217586.tif 000005
【図４】
0003217586.tif 000006
【図５】
0003217586.tif 000007